(57)【要約】【課題】使用者の手に触れられ易い個所や、物に当たり易い個所に取り付けられている場合にも、光反射体が剥がれたり、剥げたりすることなく、自動車のライトに照らされれば、その反射光を確認し易いものとなり、その機能を充分に発揮することができ、また嵩の高いものとはならず、取り付ける個所によっても体裁が悪くなったり、邪魔になるということがない鞄用鋲を提供する。【解決手段】金属製の座部１にビーズ玉２を載せて、このビーズ玉２を座部１に接着してなる光反射体３を、合成樹脂製の鋲本体４の頭部４ａからビーズ玉２の少なくとも一部が露出するようにして、この頭部４ａに埋設したものとしている。【選択図】図２
2008093027.tif 000002
【特許請求の範囲】
【請求項１】
金属製の座部（１）にビーズ玉（２）を載せて、このビーズ玉（２）を座部（１）に接着してなる光反射体（３）を、合成樹脂製の鋲本体（４）の頭部（４ａ）からビーズ玉（２）の少なくとも一部が露出するようにして、この頭部（４ａ）に埋設したことを特徴とする鞄用鋲。
【請求項２】
前記座部（１）の直径を、ビーズ玉（２）の直径と略同一か、少し大きい直径としたことを特徴とする請求項１記載の鞄用鋲。
【請求項３】
前記ビーズ玉（２）の略上半分を、鋲本体（４）の頭部（４ａ）から露出したものとしたことを特徴とする請求項１記載の鞄用鋲。
【請求項４】
前記光反射体（３）を、鋲本体（４）を合成樹脂で一体成形するときに、同時にその鋲本体（４）の頭部（４ａ）に埋設したものとしたことを特徴とする請求項１記載の鞄用鋲。
【発明の詳細な説明】
【技術分野】
【０００１】
この発明は、ランドセル、リュックサックなどの背負い鞄、その他各種の鞄において、止め鋲や飾り鋲などとして用いられる鞄用鋲に関するものである。
【背景技術】
【０００２】
従来の鞄、中でもランドセルにおいては、夜間などの暗闇での交通事故からの安全策として、自動車のライトに照らされると反射するようにした鞄用鋲を、ランドセルのマチ部、被せ蓋、背負いベルト等に取り付けていた。
【０００３】
前記鞄用鋲としては、例えば図７、８に示したように、鋲１１の頭部１１ａの周縁を凹状に形成し、その中央部を凸状１２に設け、この凸状１２の表面に光反射体１３を取り付けたものが存在する。光反射体１３は、光反射シールを貼着したり、反射塗料などを塗装してもよいとしている（特許文献１）。
【０００４】
さらに、前記鞄用鋲としては、例えば図９、１０に示したように、上端に頭部１４を有する金属製の中空軸杆１５と、その中空軸杆１５を挿通する透孔１６を開設するとともに周囲に凸縁１７を有する合成樹脂製で円形の表座板１８と、同じく中空軸杆１５を挿通する透孔１９を開設した裏座板２０とからなり、前記表座板１８に重合する光シート２１を備えたものが存在する。光シート２１は、表座板１８の透孔１６と一致する透孔２２を有し、接着剤を介してあるいは介することなく、表座板１８に重合固定されているとしている。そして、光シート２１は、ホログラムフィルムや蓄光または蛍光顔料入りシートを採用できるとしている（特許文献２）。
【特許文献１】実開昭５９−１８９５２４号公報（第２頁、第１図、第２図）
【特許文献２】実用新案登録第３０３３８０８号公報（第６頁、第７頁、図１、図３）
【発明の開示】
【発明が解決しようとする課題】
【０００５】
図７、８に示した従来の鞄用鋲では、鋲１１の頭部１１ａに光反射体１３を貼着したり、塗装したりしているだけであるので、極めて簡単で多量生産もでき、廉価で提供することができる。しかしながら、この鞄用鋲は、使用者の手に触れられ易い個所や、物に当たり易い個所に取り付けられている場合には、光反射体１３に使用者の手や物が頻繁に触れるので、鞄を長年使用していると、鋲１１の頭部１１ａから光反射体１３が剥がれたり、剥げたりして、その機能を発揮しなくなるという問題点を有していた。
【０００６】
さらに、図９、１０に示した従来の鞄用鋲では、周囲に凸縁１７を有する表座板１８に、中空軸杆１５の頭部１４で押さえることにより、光シート２１を重合固定しているので、この光シート２１が表座板１８の表側に突出せず、使用者の手に触れられ易い個所や、物に当たり易い個所に取り付けられている場合にも、光シート２１には使用者の手や物が触れることなく、鞄を長年使用していても、表座板１８から光シート２１が剥がれたりすることがない。しかしながら、この鞄用鋲は、光シート２１が表座板１８の表側に突出していないので、自動車のライトに照らされても、その反射光を確認し難く、その機能を充分に発揮できないという問題点を有していた。また、この鞄用鋲は、光シート２１の大きさ（直径）が中空軸杆１５の頭部１４の大きさ（直径）より大きく形成されているので、嵩の高いものとなり、取り付ける個所によっては体裁が悪くなったり、邪魔になるという問題点を有していた。
【０００７】
そこで、この発明は、上記従来の問題点を解決するものであり、使用者の手に触れられ易い個所や、物に当たり易い個所に取り付けられている場合にも、光反射体が剥がれたり、剥げたりすることなく、自動車のライトに照らされれば、その反射光を確認し易いものとなり、その機能を充分に発揮することができ、また嵩の高いものとはならず、取り付ける個所によっても体裁が悪くなったり、邪魔になるということがない鞄用鋲を提供することを目的としてなされたものである。
【課題を解決するための手段】
【０００８】
この発明の鞄用鋲は、金属製の座部１にビーズ玉２を載せて、このビーズ玉２を座部１に接着してなる光反射体３を、合成樹脂製の鋲本体４の頭部４ａからビーズ玉２の少なくとも一部が露出するようにして、この頭部４ａに埋設したものとしている。
【０００９】
そして、この発明の鞄用鋲は、前記座部１の直径を、ビーズ玉２の直径と略同一か、少し大きい直径としている。
【００１０】
さらに、この発明の鞄用鋲は、前記ビーズ玉２の略上半分を、鋲本体４の頭部４ａから露出したものとしている。
【００１１】
また、この発明の鞄用鋲は、前記光反射体３を、鋲本体４を合成樹脂で一体成形するときに、同時にその鋲本体４の頭部４ａに埋設したものとしている。
【発明の効果】
【００１２】
この発明の鞄用鋲は、以上に述べたように構成されているので、使用者の手に触れられ易い個所や、物に当たり易い個所に取り付けられている場合にも、光反射体が剥がれたり、剥げたりすることなく、自動車のライトに照らされれば、その反射光を確認し易いものとなり、その機能を充分に発揮することができ、また嵩の高いものとはならず、取り付ける個所によっても体裁が悪くなったり、邪魔になるということがないものとなる。
【発明を実施するための最良の形態】
【００１３】
以下、この発明の実施の形態を、図面に基づいて詳細に説明する。
【００１４】
図１は、この発明の鞄用鋲を、背負い鞄の一例であるランドセルＲの背負いベルトＢの中間部に、吊下げ具Ｔを固定するための止め鋲として用いた場合の実施の形態を示している。なお、この発明の鞄用鋲は、飾り鋲などとして単独で用いて、ランドセルＲの各所に取り付けることができるのは言うまでもない。
【００１５】
この発明の鞄用鋲は、図２〜４に示したように、金属製の座部１にビーズ玉２を載せて、このビーズ玉２を座部１に接着してなる光反射体３を、合成樹脂製の鋲本体４の頭部４ａからビーズ玉２の少なくとも一部が露出するようにして、この頭部４ａに埋設したものとしている。
【００１６】
前記座部１は、図示したように、受皿状としており、その直径をビーズ玉２の直径と略同一か、少し大きい直径としている。このようにすると、鋲本体４の頭部４ａに埋設したときに、引っ掛かりができ、その頭部４ａから抜け落ち難くなり、安定した状態で埋設しておけるものとなる。
【００１７】
前記ビーズ玉２は、ガラス製などとしており、自動車のライトに照らされると反射するものであれば、特にその材質や形状は問わないが、ビーズ玉２の略上半分を、鋲本体４の頭部４ａから露出したものとするのが好ましい。このようにすると、自動車のライトに照らされれば、よく反射し、その反射光を確認し易いものとなり、その機能を充分に発揮することができる。
【００１８】
前記光反射体３は、鋲本体４を合成樹脂で一体成形するときに、同時にその鋲本体４の頭部４ａに埋設すればよい。
【００１９】
前記吊下げ具Ｔは、図２、３に示したように、固定板５の上部において、この固定板５の裏側に突出した厚肉部５ａを設け、この厚肉部５ａに対応する固定板５の表側に座ぐり部５ｂを設けたものとしている。図示したものでは、厚肉部５ａは固定板５と略同じ厚さ分、突出したものとしており、座ぐり部５ｂは固定板５と略同じ厚さ分、くり抜いたものとしているが、これよりも厚くしても、薄くしてもよい。そして、吊下げ具Ｔには、前記座ぐり部５ｂの中央から厚肉部５ａを貫く鋲孔６を設けたものとしている。さらに、吊下げ具Ｔは、固定板５の下部において、フック部７を設けたものとしている。このフック部７は、弾性変形可能なものとしており、防犯ブザー、給食袋、上靴袋、定期入れなどの小物を直接、吊り下げておくこともできるが、図５、６に示したように、フック部７にディー環Ｄやナス環Ｎなどの掛け部材８を取り付けたものとして、この掛け部材８に前記小物を吊り下げておくこともできるようにしている。
【００２０】
背負いベルトＢは、図２、３に示したように、表地９ａと裏地９ｂの間に二枚のクッション材９ｃを挟み込み、これらの周囲を縫着したものとしており、中間部に鋲孔１０を設けたものとしている。図示した鋲孔１０は、前記固定板５に設けた厚肉部５ａが嵌まり込む大きさの拡開部１０ａを設けたものとしているが、鋲孔１０自体を前記固定板５に設けた厚肉部５ａが嵌まり込む大きさにしてもよい。鋲孔１０に前記固定板５に設けた厚肉部５ａが嵌まり込む大きさの拡開部１０ａを設けたものとするには、例えば、図示したような背負いベルトＢであれば、先ず厚肉部５ａの径より小さい径の孔を、背負いベルトＢの表地９ａから裏地９ｂに到るまでくり抜き、次に前記厚肉部５ａと同径の孔を、背負いベルトＢの表地９ａにだけくり抜けばよい。また、鋲孔１０自体を前記固定板５に設けた厚肉部５ａが嵌まり込む大きさにするには、この厚肉部５ａと同径の孔を、背負いベルトＢの表地９ａから裏地９ｂに到るまでくり抜けばよいことはいうまでもない。
【００２１】
さらに、この発明の鞄用鋲は、図２、３に示したように、前記頭部４ａを、吊下げ具Ｔの座ぐり部５ｂに少なくとも一部が入り込む大きさとしており、胴部４ｂを、吊下げ具Ｔの鋲孔６および背負いベルトＢの鋲孔１０に通せる大きさとしており、足部４ｃを、かしめ可能なものとしている。頭部４ａは、図示したものでは、吊下げ具Ｔの座ぐり部５ｂに略全体が入り込む大きさとしているが、吊下げ具Ｔの座ぐり部５ｂから上半部が食み出す位の大きさにしてもよい。また、足部４ｃは、図示したように、先端面から胴部４ｂの内部にかけて中空部４ｄを形成することにより筒状にすれば、かしめが行い易いものとなる。
【００２２】
そして、この発明の鞄用鋲を用いて、ランドセルＲの背負いベルトＢに吊下げ具Ｔを固定するには、以下のようにして行う。
【００２３】
先ず、背負いベルトＢに設けた鋲孔１０またはこの鋲孔１０の拡開部１０ａに、前記吊下げ具Ｔの厚肉部５ａを入り込ませ、鋲本体４の頭部４ａを吊下げ具Ｔの座ぐり部５ｂに入り込ませると共に、この鋲本体４の胴部４ｂを吊下げ具１に設けた鋲孔６および背負いベルトＢに設けた鋲孔１０に通し、鋲本体４の足部４ｃをかしめて、背負いベルトＢに設けた鋲孔１０の縁部に固定すればよい。
【００２４】
以上のように構成したこの発明の鞄用鋲では、ビーズ玉２が鋲本体４の頭部４ａに堅固に固定されるものとなり、使用者の手に触れられ易い個所や、物に当たり易い個所に取り付けられている場合にも、ビーズ玉２が剥がれたり、剥げたりすることなく、自動車のライトに照らされれば、その反射光を確認し易いものとなり、その機能を充分に発揮することができ、また嵩の高いものとはならず、取り付ける個所によっても体裁が悪くなったり、邪魔になるということがないものとなる。
【００２５】
さらに、この発明の鞄用鋲によれば、吊下げ具Ｔが背負いベルトＢに堅固に固定されるものとなり、吊下げ具Ｔのフック部７などに何らかの強い力が横方向からかかっても、吊下げ具Ｔが横に向いてしまい難いものとなる。
【図面の簡単な説明】
【００２６】
【図１】この発明の鞄用鋲を、ランドセルの背負いベルトに吊下げ具を固定するための止め鋲として用いた場合の実施の形態を示す説明図である。
【図２】図１中のＸ−Ｘ線によるこの発明の鞄用鋲および吊下げ具の断面図である。
【図３】図２に示すこの発明の鞄用鋲および吊下げ具の分解断面図である。
【図４】この発明の鞄用鋲の分解断面図である。
【図５】この発明の鞄用鋲を用いて固定した吊下げ具にディー環を取り付けた状態を示す断面図である。
【図６】この発明の鞄用鋲を用いて固定した吊下げ具にナス環を取り付けた状態を示す断面図である。
【図７】従来の鞄用鋲の一例を示す斜視図である。
【図８】図７中のＹ−Ｙ線による従来の鞄用鋲の断面図である。
【図９】従来の鞄用鋲の他の例を示す分解斜視図である。
【図１０】図９に示した従来の鞄用鋲の固定状態を示す断面図である。
【符号の説明】
【００２７】
１  座部
２  ビーズ玉
３  光反射体
４  鋲本体
４ａ  頭部
【図１】
2008093027.tif 000003
【図２】
2008093027.tif 000004
【図３】
2008093027.tif 000005
【図４】
2008093027.tif 000006
【図５】
2008093027.tif 000007
【図６】
2008093027.tif 000008
【図７】
2008093027.tif 000009
【図８】
2008093027.tif 000010
【図９】
2008093027.tif 000011
【図１０】
2008093027.tif 000012